(57)【要約】【課題】アタリを感度良く察知する釣り竿を提供する。【解決手段】釣り竿１の先端および上側に複数のガイド２ないし５を取り付けた釣り竿であって、釣り竿１の先端に取り付けられたトップガイド２に近いガイドのうちの少なくとも第２ガイド３のガイドリング７の高さを他のガイドのガイドリングの高さより高くする。  または、釣り竿の先端および下側に複数のガイドを取り付けた釣り竿であって、釣り竿の先端に取り付けられたトップガイドに近いガイドのうちの少なくとも第２ガイドのガイドリングの高さを他のガイドのガイドリングの高さより低くする。【選択図】図１
2013102732.tif 000002
【特許請求の範囲】
【請求項１】
釣り竿の先端および上側に複数のガイドを取り付けた釣り竿であって、
釣り竿の先端に取り付けられたトップガイドに近いガイドのうちの少なくとも第２ガイドのガイドリングの高さを他のガイドのガイドリングの高さより高くしたことを特徴とする釣り竿。
【請求項２】
釣り竿の先端および下側に複数のガイドを取り付けた釣り竿であって、
釣り竿の先端に取り付けられたトップガイドに近いガイドのうちの少なくとも第２ガイドのガイドリングの高さを他のガイドのガイドリングの高さより低くしたことを特徴とする釣り竿。
【発明の詳細な説明】
【技術分野】
【０００１】
本発明は、カワハギ釣りなどに好適な釣り竿に関するものである。
【背景技術】
【０００２】
従来、カワハギ釣りにはそれ専用の釣り竿が作られている（非特許文献１、２）。
【先行技術文献】
【非特許文献】
【０００３】
【非特許文献１】２０１１年９月２６日株式会社コスミック出版発行「船＆陸っぱり  基礎からわかる  カワハギ釣り入門」  ２２頁
【非特許文献２】「シマノ  ２０１０  Ｆｉｓｈｉｎｇ  Ｔａｃｋｌｅ  Ｃａｔａｌｏｇｕｅ」  １４９頁
【発明の概要】
【発明が解決しようとする課題】
【０００４】
しかし、従来の釣り竿では、専用のものでも、アタリを察知する感度が物足りないものであった。
【０００５】
（発明の目的）
本発明の目的は、アタリを感度良く察知することができる釣り竿を提供することである。
【課題を解決するための手段】
【０００６】
上記目的を達成するために、請求項１に係る本発明の釣り竿は、釣り竿の先端および上側に複数のガイドを取り付けた釣り竿であって、釣り竿の先端に取り付けられたトップガイドに近いガイドのうちの少なくとも第２ガイドのガイドリングの高さを他のガイドのガイドリングの高さより高くしたことを特徴とするものである。
【０００７】
また、請求項２に係る本発明の釣り竿は、釣り竿の先端および下側に複数のガイドを取り付けた釣り竿であって、釣り竿の先端に取り付けられたトップガイドに近いガイドのうちの少なくとも第２ガイドのガイドリングの高さを他のガイドのガイドリングの高さより低くしたことを特徴とするものである。
【発明の効果】
【０００８】
本発明によれば、アタリを感度良く察知することができる。
【図面の簡単な説明】
【０００９】
【図１】本発明の実施例１である釣り竿を示す側面図および断面図である。
【図２】実施例１の魚がかかった状態での釣り竿のしなりを示す側面図である。
【図３】実施例１の変形例を示す断面図である。
【図４】本発明の実施例２である釣り竿を示す側面図および断面図である。
【発明を実施するための形態】
【００１０】
本発明を実施するための形態は、以下の実施例１および２に記載される通りである。
【実施例１】
【００１１】
本発明の実施例１である釣り竿を図１に示す。この釣り竿は、カワハギ釣りに好適なものであるが、これに限定されるものではなく、他の魚にも使えるものである。
【００１２】
釣り竿１の先端および上側には、トップガイド２、第２ガイド３、第３ガイド４、第４ガイド５、以下不図示であるが多数のガイドが、取り付けられている。なお、図示のガイドは簡略的に示されている。ここで、上側とは、釣り竿１を構えたときに上に向く側である。第２ガイド３を除いたガイド２、４、５などは糸や接着剤により直接釣り竿１に取り付けられている。第２ガイド３は、座部材６を介して釣り竿１に取り付けられている。第２ガイド３は、通常のガイドと同様に、釣り糸を通すガイドリング７、ガイドリング７を保持するリング保持部８、リング保持部８と一体の取付部９を有する。
【００１３】
第２ガイド３を座部材６を介して釣り竿１に取り付けたことにより、第２ガイド３のガイドリング７の中心位置１０（図１（ｂ）に１点鎖線にて示す）の高さＨ１は、座部材６の高さＨ２を加えた（Ｈ１＋Ｈ２）となり、他のガイドのガイドリングの高さより座部材６の高さＨ２の分だけ高くなっている。なお、ガイドリングの高さとは、釣り竿１の上側の面に対して垂直方向の長さである。
【００１４】
魚が釣り針にかかった場合、釣り糸１１（図１（ａ）に２点鎖線にて示す）を経て荷重はガイドリング７の高い第２ガイド３により加わり、第２ガイド３の近辺の釣り竿１の部分が他の部分より大きく曲がる。このしなりの状態を図２に示す。図２において点線で示す通常の釣り竿のしなりの状態に比べてはるかに第２ガイド３の近辺で大きく曲がる。これにより、荷重の変動が第２ガイド３から釣り竿１を経て釣り人に効率よく伝達される。したがって、釣り人はアタリを感度良く察知することができる。
【００１５】
ガイドリングの高さは均一であると、釣り竿１は荷重により全体的に曲がるので、荷重の変動が釣り竿１の全長に分散され、釣り人に敏感に伝達されない。
【００１６】
なお、第２ガイド３のガイドリング７の高さを高くするばかりでなく、第３ガイド４のガイドリングの高さを高くすることもできる。つまり、釣り竿１の先端に取り付けられたトップガイド２に近いガイドのうちの少なくとも第２ガイド３のガイドリング７の高さを他のガイドのガイドリングの高さより高くすればよい。
【００１７】
（変形例）
実施例１の変形例を図３に示す。これは、座部材６を用いる代わりに、リング保持部の垂直方向の長さを長くしたものである。第２ガイド１２は、ガイドリング１３を保持するリング保持部１４の垂直方向の長さを他のガイドより長くし、リング保持部１４の中心位置１５の高さを（Ｈ１＋Ｈ２）としたものである。取付部１６は釣り竿１２に取り付けられる部分である。
【実施例２】
【００１８】
本発明の実施例２である釣り竿を図４に示す。この釣り竿も、カワハギ釣りに好適なものであるが、これに限定されるものではないことは、実施例１と同様である。
【００１９】
釣り竿２１の先端および下側には、トップガイド２２、第２ガイド２３、第３ガイド２４、第４ガイド２５、以下不図示であるが多数のガイドが、取り付けられている。ここで、下側とは、釣り竿２１を構えたときに下に向く側である。ガイド２２、２３、２４、２５などは糸や接着剤により直接釣り竿２１に取り付けられている。第２ガイド２３は、通常のガイドと同様に、釣り糸２６（２点鎖線にて示す）を通すガイドリング２７、ガイドリング２７を保持するリング保持部２８、リング保持部８と一体の取付部２９を有するが、そのガイドリング２８の中心位置３０の高さＨ３は、他のガイドのガイドリングの高さより低くなっている。なお、ガイドリングの高さとは、釣り竿１の下側の面に対して垂直方向の長さである。
【００２０】
魚が釣り針にかかった場合、釣り糸２６を経て荷重はガイドリング２７の低い第２ガイド２３により加わり、第２ガイド２３の近辺の釣り竿２１の部分が他の部分より大きく曲がる。そのしなりの状態は、図２と同様である。これにより、荷重の変動が第２ガイド２３から釣り竿１を経て釣り人に効率よく伝達される。したがって、実施例１と同様に、釣り人はアタリを感度良く察知することができる。
【００２１】
なお、第２ガイド２３のガイドリング２７の高さを低くするばかりでなく、第３ガイド２４のガイドリングの高さを低くすることもできる。つまり、釣り竿２１の先端に取り付けられたトップガイド２２に近いガイドのうちの少なくとも第２ガイド２３のガイドリング２７の高さを他のガイドのガイドリングの高さより低くすればよい。
【符号の説明】
【００２２】
２、２１    釣り竿
２、２２    トップガイド
３、２３    第２ガイド
４、２４    第３ガイド
６          座部材
７、２７    ガイドリング
８、２８    リング保持部
【図１】
2013102732.tif 000003
【図２】
2013102732.tif 000004
【図３】
2013102732.tif 000005
【図４】
2013102732.tif 000006